(57)【要約】【課題】  本発明は魚釣用リールに関し、駆動軸を支持する軸受への負荷を軽減して、長期に亘り円滑な釣糸の巻取り操作を可能とした魚釣用リールを提供することを目的とする。【解決手段】  請求項１に係る発明は、リール本体内に装着された巻取り駆動機構の駆動軸に、ツマミを有するハンドルの基部に設けた連結部を連結して巻取り駆動される魚釣用リールに於て、上記ハンドルの連結部を、リール本体に軸受を介して回転自在に支持したことを特徴とする。  そして、請求項２に係る発明は、請求項１に記載の魚釣用リールに於て、前記軸受は、ハンドルの連結部に抜け止め装着されていることを特徴とする。【選択図】    図３
2007189996.tif 000002
【特許請求の範囲】
【請求項１】
リール本体内に装着された巻取り駆動機構の駆動軸に、ツマミを有するハンドルの基部に設けた連結部を連結して巻取り駆動される魚釣用リールに於て、
上記ハンドルの連結部を、リール本体に軸受を介して回転自在に支持したことを特徴とする魚釣用リール。
【請求項２】
前記軸受は、ハンドルの連結部に抜け止め装着されていることを特徴とする請求項１に記載の魚釣用リール。
【発明の詳細な説明】
【技術分野】
【０００１】
本発明は魚釣用リールに係り、詳しくはリール本体内に装着された巻取り駆動機構と、これに連結されるハンドルとの連結構造に改良を加えた魚釣用リールに関する。
【背景技術】
【０００２】
従来、魚釣用リールには、ハンドルの巻取り操作（回転操作）で駆動して釣糸をスプールに巻回させる巻取り駆動機構がリール本体内に設けられており、例えば特許文献１及び特許文献２に開示されるように魚釣用スピニングリールのリール本体は、開口部を蓋体によって閉塞することで形成される収容部を備え、この収容部内に巻取り駆動機構が組み込まれている。
【０００３】
そして、巻取り駆動機構の駆動歯車を回転させる駆動軸がリール本体と蓋体とに軸受を介して回転可能に支持され、リール本体の側面から突出する駆動軸の一端側に、ツマミを有するハンドルがその基部に設けた連結部を介して着脱自在に連結されている。そして、斯様に連結したハンドルの巻取り操作で、駆動軸に取り付く駆動歯車や回転軸筒（フライヤ軸），トラバース機構（スプール往復動装置）等からなる巻取り駆動機構が駆動して回転軸筒の先端に取り付くロータが回転し、前後方向へ往復動するスプールの釣糸巻回胴部に釣糸が巻回されるようになっている。
【特許文献１】特開２００４−１１３１７１号公報
【特許文献２】特開２０００−３３３５６６号公報
【発明の開示】
【発明が解決しようとする課題】
【０００４】
しかし、ツマミを握持し乍らハンドルを巻取り操作する場合、特に強負荷巻取り操作時（大物魚の磯釣りやジギング釣り等）に、ハンドルのハンドルアームによるテコの作用で、ハンドルが連結された駆動軸を支持する軸受（ころがり軸受）にこじるような大きな力が集中的にかかってしまう構造上の問題があった。
このため、駆動軸を支持する軸受の損傷，摩耗が早く耐久性に劣り、円滑な巻取り操作ができなくなってしまう虞が指摘されていた。
【０００５】
本発明は斯かる実情に鑑み案出されたもので、駆動軸を支持する軸受への負荷を軽減して、長期に亘り円滑な釣糸の巻取り操作を可能とした魚釣用リールを提供することを目的とする。
【課題を解決するための手段】
【０００６】
斯かる目的を達成するため、請求項１に係る発明は、リール本体内に装着された巻取り駆動機構の駆動軸に、ツマミを有するハンドルの基部に設けた連結部を連結して巻取り駆動される魚釣用リールに於て、上記ハンドルの連結部を、リール本体に軸受を介して回転自在に支持したことを特徴とする。
そして、請求項２に係る発明は、請求項１に記載の魚釣用リールに於て、前記軸受は、ハンドルの連結部に抜け止め装着されていることを特徴とする。
【発明の効果】
【０００７】
請求項１に係る発明によれば、大物魚の磯釣りやジギング釣り等の強負荷巻取り操作時に、こじるような大きな力が駆動軸との連結部位にかかっても、軸受が連結部をリール本体に支持して駆動軸への負荷を軽減し、駆動軸を支持する軸受へのダメージを緩和する。
従って、従来に比し駆動軸を支持する軸受の耐久性が向上して長期に亘る円滑な巻取り操作が維持できると共に、駆動軸とハンドルとの連結部位のガタ付きや変形も確実に防止できるため、巻取り操作性が格段に向上し、更に、連結部位のねじ緩み発生やねじ強度低下も防止することができる利点を有する。
【０００８】
そして、請求項２に係る発明は、軸受を連結部に抜け止め装着してハンドルと軸受をユニット化したため、リール本体へのハンドルの着脱や、左右ハンドル取り替えの際に、リール本体への軸受装着が不要となって取り扱いが便利であるという利点を有する。
【発明を実施するための最良の形態】
【０００９】
以下、本発明の実施形態を図面に基づいて詳細に説明する。
図１乃至図４は請求項１及び請求項２に係る発明を魚釣用スピニングリールに適用した第一実施形態を示し、図１に於て、１は魚釣用スピニングリール３のリール本体で、図２に示すようにリール本体１は、その一側部に設けた開口部５を蓋体７で閉塞することで形成される収容部９を備え、この収容部９に、後述する駆動歯車１１やピニオン１３，トラバース機構（スプール往復動装置）１５等からなる巻取り駆動機構１７が組み込まれている。
【００１０】
即ち、図２に於て、１９は一対の軸受２１，２３を介してリール本体１と蓋体７とに回転可能に支持された駆動軸で、蓋体７側の駆動軸１９の外周に駆動歯車１１が回り止め嵌着固定または一体形成され、当該駆動歯車１１にピニオン１３が噛合している。
また、図２乃至図４に示すように、反蓋体７側のリール本体１の他側部には略筒状のハンドル取付部２５が外方へ突設され、このハンドル取付部２５の中心軸上に、軸受２１に支持された駆動軸１９の他端側が突出している。
【００１１】
そして、斯かる駆動軸１９の他端側外周に雄ネジ部２７が形成され、当該雄ネジ部２７にハンドル２９が連結されている。
図１乃至図４に示すようにハンドル２９は、一端側に上記雄ネジ部２５に螺着可能な雌ネジ３１が螺刻された筒状の連結部３３を有するハンドル軸３５と、当該ハンドル軸３５の他端側にピン３７を介して軸着されたハンドルアーム３９と、当該ハンドルアーム３９の先端に固着された支軸４１に回転可能に取り付く樹脂または木製のツマミ４３とで構成されており、上記連結部３３に駆動軸１９の雄ネジ部２７を螺着して駆動軸１９にハンドル２９が着脱自在に連結されている。
【００１２】
また、図２及び図３に示すようにハンドル軸３５には、カバー部材４５がスライド調整可能に取り付く雄ネジ部４７が設けられており、上述の如く連結部３３に雄ネジ部２７を螺着して駆動軸１９にハンドル２９を連結した後、カバー部材４５をスライド調整してその先端を前記ハンドルアーム３９の基端部の外周に係合させると、カバー部材４５によって駆動軸１９とハンドル２９との連結部位が被覆されるようになっている。
【００１３】
更に、図２乃至図４に示すように前記連結部３３の外周には環状の段部４９が形成され、当該段部４９と、Ｏ−リングやＥガタ止め輪等の抜止め部材５１によって軸受５３が抜け止め装着されている。
一方、前記ハンドル取付部２５の先端側には、上記軸受５３が嵌合可能な軸受嵌合部５５が設けられており、既述したように連結部３３に雄ネジ部２７を螺着して駆動軸１９にハンドル２９を連結すると、軸受５３が上記軸受嵌合部５５に嵌合して、ハンドル２９の連結部３３を、リール本体１のハンドル取付部２５内に軸受５３を介して回転自在に支持するようになっている。
【００１４】
このように本実施形態は、駆動軸１９に連結するハンドル２９の連結部３３を、軸受５３を介してリール本体１のハンドル取付部２５内に回転自在に支持すると共に、この軸受５３を連結部３３の外周に抜け止め装着して、ハンドル２９と軸受５３をユニット化したことを大きな特徴とする。
その他、図２に於て、駆動歯車１１に噛合するピニオン１３は、図示しない軸受を介してリール本体１の前部に回転可能に支持された中空な回転軸筒（フライヤ軸）の後端側外周に形成され、回転軸筒の先端に図１のロータ５７がナットで固定されている。
【００１５】
そして、ロータ５７の基部には、一対の支持アーム５９がリール本体１の前方へ一体に延設されており、両支持アーム５９の先端に、夫々、ベール支持部材６１が釣糸巻取り位置と釣糸放出位置とに反転自在に取り付けられている。そして、両ベール支持部材６１の間に半環状のベール６３が取り付き、一方のベール支持部材６１にラインローラ（釣糸案内部）６５が回転可能に装着されている。
【００１６】
また、図２中、６７は回転軸筒内を挿通してリール本体１の前後方向へ往復動可能に支持されたスプール軸で、スプール軸６７のロータ側突出端にスプール６９が取り付き、スプール軸６７の後端側に周知のトラバース機構１５が装着されている。
従来周知のようにトラバース機構１５は、収容部９内にスプール軸６７と平行に回転可能に支持された螺軸（トラバースカム軸）７１と、当該螺軸７１の外周に設けられたカム溝に係合する係合爪を有する摺動子と、螺軸７１の前端部に回り止め嵌着されてピニオン１３に噛合する従動歯車７３とで構成されており、摺動子はスプール軸６７の後端部にビス止めされている。
【００１７】
そして、従来と同様、ベール６３を釣糸巻取位置側へ倒し、前記ツマミ４３を握持してハンドル２９を巻取り操作すると、駆動軸１９，駆動歯車１１，ピニオン１３を介してロータ５７が回転すると共に、ピニオン１３に噛合する従動歯車７３を介して螺軸が回転し、これに伴いカム溝に係合する係合爪を有する摺動子が螺軸７１上を往復動するため、摺動子に連結されたスプール軸６７を介してスプール６９がリール本体１の前後方向へ往復動して、スプール６９の釣糸巻回胴部７５に釣糸が巻回されるようになっている。
【００１８】
その他、図１に於て、７７はリール本体１に一体成形されたリール脚で、このリール脚７７に釣竿７９が取り付けられている。
本実施形態はこのように構成されているから、連結部３３に雄ネジ部２７を螺着して駆動軸１９にハンドル２９を連結すると、軸受５３が軸受嵌合部５５に嵌合してハンドル２９の連結部３３がリール本体１のハンドル取付部２５内に回転自在に支持される。
【００１９】
そして、ベール６３を釣糸放出位置に倒して釣竿７９を勢いよく振り下ろすと、スプール６９に巻回された釣糸がスパイラル状に解かれて前方へ放出され、また、ベール６３を釣糸巻取位置側へ戻してハンドル２９を巻取り操作すると、駆動軸１９，駆動歯車１１，ピニオン１３を介してロータ５７が回転すると共に、ピニオン１３に噛合する従動歯車７３により螺軸が回転して摺動子が螺軸上を往復動するため、摺動子に連結されたスプール軸６７によりスプール６９がリール本体１の前後方向へ往復動して釣糸が釣糸巻回胴部７５に巻回される。
【００２０】
而して、この巻取り操作に於て、軸受５３がハンドル２９の連結部３３をリール本体１のハンドル取付部２５に支持するため、大物魚の磯釣りやジギング釣り等の強負荷巻取り操作時に、ハンドルアーム３９によるテコの作用でこじるような大きな力が駆動軸１９との連結部位にかかっても、軸受５３が連結部３３をハンドル取付部２５に支持して駆動軸１９への負荷を軽減し、駆動軸１９を支持する軸受２１へのダメージを緩和する。
【００２１】
従って、本実施形態によれば、従来に比し軸受２１の耐久性が向上して長期に亘る円滑な巻取り操作が維持できると共に、駆動軸１９とハンドル２９との連結部位のガタ付きや変形も確実に防止できるため、巻取り操作性が格段に向上し、更に、連結部位のねじ緩み発生やねじ強度低下も防止することができる利点を有する。
そして、本実施形態は、軸受５３を連結部３３の外周に抜け止め装着してハンドル２９と軸受５３をユニット化したため、リール本体１へのハンドル２９の着脱や、左右ハンドル取り替えの際に、リール本体１への軸受装着が不要となって取り扱いが便利であるという利点を有している。
【００２２】
尚、図２乃至図４に示すように上記第一実施形態では、駆動軸１９側に雄ネジ部２７を設け、ハンドル２９側の連結部３３に当該雄ネジ部２７が螺着可能な雌ネジ３１を設けたが、図５に示すように駆動軸１９-1側に雌ネジ部８１を形成し、当該雌ネジ部８１に螺着可能な雄ネジ部８３を有する連結部３３-1をハンドル軸３５-1側に設けてもよい。そして、前記ハンドル２９と同様、本実施形態のハンドル２９-1も、上記ハンドル軸３５-1とこれに取り付くハンドルアーム３９、そして、当該ハンドルアーム３９の先端に固着された支軸４１に回転可能に取り付くツマミ４３とで構成されている。
【００２３】
また、本実施形態に於ても、ハンドル２９-1を駆動軸１９-1に連結した際に連結部３３-1をハンドル取付部２５内に支持する軸受５３を、連結部３３-1の外周に設けた段部４９と抜止め部材５１とで抜け止め装着して、ハンドル２９-1と軸受５３をユニット化している。
尚、本実施形態に係る魚釣用スピニングリールに於て、その他の構成は前記第一実施形態図１の実施形態と同様であるので、同一のものには同一符号を付してそれらの説明は省略する。
【００２４】
本実施形態はこのように構成されているから、軸受５３がハンドル２９-1の連結部３３-1をリール本体１のハンドル取付部２５に支持するため、大物魚の磯釣りやジギング釣り等の強負荷巻取り操作時に、ハンドルアーム３９によるテコの作用でこじるような大きな力が駆動軸１９-1との連結部位にかかっても、軸受５３が連結部３３-1をハンドル取付部２５に支持して駆動軸１９-1への負荷を軽減し、駆動軸１９-1を支持する軸受２１へのダメージを緩和する。
【００２５】
従って、本実施形態によっても、従来に比し軸受２１の耐久性が向上して長期に亘る円滑な巻取り操作が維持できると共に、駆動軸１９-1とハンドル２９-1との連結部位のガタ付きや変形も確実に防止できるため、巻取り操作性が格段に向上し、更に、連結部位のねじ緩み発生やねじ強度低下も防止することができる利点を有する。
また、軸受５３を連結部３３-1の外周に抜け止め装着してハンドル２９-1と軸受５３をユニット化しているため、第一実施形態と同様、取り扱いが便利であるという利点を有する。
【００２６】
図６は請求項１及び請求項２に係る発明を適用した魚釣用スピニングリールの第三実施形態を示し、本実施形態は、ハンドル軸３５-2の連結部３３-2にこれと同軸上に６角柱のシャフト８５を突設すると共に、駆動軸１９-2側の端部に当該シャフト８５が回り止め嵌合可能な嵌合孔８７を設けて、ハンドル２９-2と駆動軸１９-2とを連結する構造に本発明を適用したもので、ハンドル２９-2を駆動軸１９-2に連結した際に連結部３３-2をハンドル取付部２５内に支持する軸受５３を、連結部３３-2の外周に設けた段部４９と抜止め部材５１とで抜け止め装着して、ハンドル２９-1と軸受５３をユニット化したことを特徴とする。
【００２７】
そして、その他の構成は図１の実施形態と同様であるため、同一のものには同一符号を付してそれらの説明は省略する。
而して、本実施形態によっても、既述した各実施形態と同様、所期の目的を達成することが可能で、長期に亘って円滑な巻取り操作が維持でき、巻取り操作性が格段に向上すると共に、連結部位のねじ緩み発生やねじ強度低下も防止することができる利点を有する。
【００２８】
また、ハンドル２９-2と軸受５３をユニット化しているため、取り扱いも便利である。
尚、上述した各実施形態は、請求項１及び請求項２に係る発明を魚釣用スピニングリールに適用したものであるが、本発明はその他の魚釣用リールに於ける駆動軸とハンドルの連結構造に適用できるものである。
【図面の簡単な説明】
【００２９】
【図１】請求項１及び請求項２に係る発明を適用した魚釣用スピニングリールの第一実施形態の側面図である。
【図２】図１に示す魚釣用スピニングリールの断面背面図である。
【図３】図２の要部拡大断面図である。
【図４】駆動軸からハンドルを取り外した状態を示す要部拡大断面図である。
【図５】請求項１及び請求項２に係る発明を適用した魚釣用スピニングリールの第二実施形態の要部拡大断面図である。
【図６】請求項１及び請求項２に係る発明を適用した魚釣用スピニングリールの第三実施形態の要部拡大断面図である。
【符号の説明】
【００３０】
１  リール本体
３  魚釣用スピニングリール
７  蓋体
９  収容部
１１  駆動歯車
１３  ピニオン
１５  トラバース機構
１７  巻取り駆動機構
１９，１９-1，１９-2  駆動軸
２１，２３，５３  軸受
２５  ハンドル取付部
２７，４７，８３  雄ネジ部
２９，２９-1，２９-2  ハンドル
３３，３３-1，３３-2  連結部
３５，３５-1，３５-2  ハンドル軸
３９  ハンドルアーム
４３  ツマミ
４５  カバー部材
４９  段部
５１  抜止め部材
５５  軸受嵌合部
５７  ロータ
５９  支持アーム
６１  ベール支持部材
６３  ベール
６５  ラインローラ
６７  スプール軸
６９  スプール
７１  螺軸
７３  従動歯車
８１  雌ネジ部
８５  シャフト
８７  嵌合孔                                                                                
【図１】
2007189996.tif 000003
【図２】
2007189996.tif 000004
【図３】
2007189996.tif 000005
【図４】
2007189996.tif 000006
【図５】
2007189996.tif 000007
【図６】
2007189996.tif 000008